(57)【要約】【課題】入浴スタイルにあった入浴シーンによって浴室関連機器を自動的に制御して快適な入浴環境を演出することができる浴室機器制御システムを提供するにある。【解決手段】中央管理装置１内の演算処理部１３は、入浴スタイルに対応する入浴シーンを設定するシーン設定手段１３ｂと、このシーン設定手段１３ｂにより設定された入浴シーンに基づいて複数の浴室関連機器を制御する制御手段１３ａとを備えている。【選択図】図１
2006322638.tif 000002
【特許請求の範囲】
【請求項１】
入浴スタイルに対応する入浴シーンを設定するシーン設定手段と、前記シーン設定手段により設定された入浴シーンに基づいて複数の浴室関連機器を制御する制御手段とを備えたことを特徴とする浴室機器制御システム。
【請求項２】
前記各浴室関連機器の動作内容を個別に操作する機器操作手段を有し、前記制御手段は前記機器操作手段の操作をトリガとして前記シーン設定部での入浴シーン設定に基づいて浴室関連機器の制御を開始することを特徴とする請求項１記載の浴室機器制御システム。
【請求項３】
シーン設定手段にて設定される入浴シーンを選択する選択手段を有し、前記制御手段は前記選択手段の入浴シーン選択をトリガとして前記シーン設定部での入浴シーン設定に基づいて浴室関連機器の制御を開始することを特徴とする請求項１記載の浴室機器制御システム。
【請求項４】
前記入浴シーンは、入浴シーンの開始から終了までの期間を時系列的に分割され、この分割された期間毎に制御される１又は複数の前記浴室関連機器を割り付けてあることを特徴とする請求項１乃至３の何れか記載の浴室機器制御システム。
【請求項５】
浴室内の何れの空間位置に利用者が存在するかを検知する存在位置検知手段を備え、前記制御手段は入浴シーンに対応する前記浴室関連機器を制御するに際し、前記存在位置検知手段の検知位置に基づいて前記浴室関連機器を制御することを特徴とする請求項１乃至４の何れか記載の浴室機器制御システム。
【請求項６】
前記存在位置検知手段は、前記浴室関連機器の使用状態を検知して当該浴室関連機器の設置空間を利用者の存在空間と判断する手段から成ることを特徴とする請求項５記載の浴室機器制御システム。
【請求項７】
入浴時間帯を取得する時間帯取得手段を備え、前記制御手段が、入浴シーンに対応して前記浴室関連機器を制御する際に、前記時間帯取得手段が取得した時間帯に対応して前記浴室関連機器の制御パラメータを変更することを特徴とする請求項１乃至６の何れか記載の浴室機器制御システム。
【請求項８】
前記制御手段が制御する浴室関連機器の制御パラメータを修正設定する操作手段を備えるとともに、該操作手段で制御パラメータが修正変更された浴室関連機器と連携制御される浴室関連機器の制御パラメータを修正する機能をシーン設定手段に備えていることを特徴とする請求項１乃至７の何れか記載の浴室機器制御システム。
【発明の詳細な説明】
【技術分野】
【０００１】
本発明は、浴室関連機器を制御する浴室機器制御システムに関するものである。
【背景技術】
【０００２】
従来、利用者が自分にとって最適な入浴環境を設定するための入浴環境制御システムが提供されている（特許文献１）。
【０００３】
このシステムはデータ入力装置により利用者名、個人毎の基本データを演算処理装置に登録するもので、演算装置は利用者の基本データ、体調データ、季節データ、及び入浴環境整備用プログラムから入浴環境整備の最適値を求め、浴室内の機器の運転を制御するもので、利用者自身にとって最適な入浴環境を設定できるようにしたものである。
【０００４】
同様に利用者の嗜好にあった浴室状態を創り出す浴室状態管理システムも提供されている（特許文献２）。
【特許文献１】特開平１０−１６５３２６号公報（要約、段落番号００６１）
【特許文献２】特開２００４−３０１３７８号公報（要約、段落番号００６８）
【発明の開示】
【発明が解決しようとする課題】
【０００５】
上述のシステムは、個人の設定などが複雑な操作を必要とするため使い勝手が悪いという問題があった。
【０００６】
本発明は、上述の課題に鑑みて為されたもので、その目的とするところは、入浴スタイルにあった入浴シーンによって浴室関連機器を自動的に制御して快適な入浴環境を演出することができる浴室機器制御システムを提供するにある。
【課題を解決するための手段】
【０００７】
上述の目的を達成するために、入浴スタイルに対応する入浴シーンを設定するシーン設定手段と、前記シーン設定手段により設定された入浴シーンに基づいて複数の浴室関連機器を制御する制御手段とを備えたことを特徴とする。
【０００８】
請求項１の発明によれば、利用者が意図する入浴スタイルの入浴シーンに応じた浴室関連機器の制御を、煩雑な個別操作無しで行える。
【０００９】
請求項２の発明では、請求項１の発明において、前記各浴室関連機器の動作内容を個別に操作する機器操作手段を有し、前記制御手段は前記機器操作手段の操作をトリガとして前記シーン設定部での入浴シーン設定に基づいて浴室関連機器の制御を開始することを特徴とする。
【００１０】
請求項２の発明によれば、浴室関連機器を個別に操作する機器操作手段のコントローラを操作することで、浴室内機器の制御を自動で行うことが可能となる。
【００１１】
請求項３の発明では、請求項１の発明において、シーン設定手段にて設定される入浴シーンを選択する選択手段を有し、前記制御手段は前記選択手段の入浴シーン選択をトリガとして前記シーン設定部での入浴シーン設定に基づいて浴室関連機器の制御を開始することを特徴とする。
【００１２】
請求項３の発明によれば、利用者の入浴スタイルの選択操作に応じた浴室関連機器を入浴シーンに従って自動的に制御することができるため、個別操作不要で快適な入浴を実施できる。
【００１３】
請求項４の発明では、請求項１乃至３の何れかの発明において、前記入浴シーンは、入浴シーンの開始から終了までの期間を時系列的に分割され、この分割された期間毎に制御される１又は複数の前記浴室関連機器を割り付けてあることを特徴とする。
【００１４】
請求項４の発明によれば、利用者の入浴状態に応じた浴室関連機器の制御が行えるため、個別操作不要で快適な入浴を実施できる。
【００１５】
請求項５の発明では、請求項１乃至４の何れかの発明において、浴室内の何れの空間位置に利用者が存在するかを検知する存在位置検知手段を備え、前記制御手段は入浴シーンに対応する前記浴室関連機器を制御するに際し、前記存在位置検知手段の検知位置に基づいて前記浴室関連機器を制御することを特徴とする。
【００１６】
請求項５の発明によれば、利用者の浴室内の位置に対応した浴室関連機器の制御が行えるため、個別操作不要で快適な入浴を実施できる。
【００１７】
請求項６の発明では、請求項５の発明において、前記存在位置検知手段は、前記浴室関連機器の使用状態を検知して当該浴室関連機器の設置空間を利用者の存在空間と判断する手段から成ることを特徴とする。
【００１８】
請求項６の発明によれば、浴室内での利用者の位置を精度良く検知することができるため、利用者の検知位置に対応して入浴シーンの進行に最適な浴室関連機器の制御が可能となる。
【００１９】
請求項７の発明では、請求項１乃至６の何れかの発明において、入浴時間帯を取得する時間帯取得手段を備え、前記制御手段が、入浴シーンに対応して前記浴室関連機器を制御する際に、前記時間帯取得手段が取得した時間帯に対応して前記浴室関連機器の制御パラメータを変更することを特徴とする。
【００２０】
請求項７の発明によれば、入浴時間帯に適した浴室関連機器の制御を行うことが可能なため、最適な効果を得ることができる。
【００２１】
請求項８の発明では、請求項１乃至７の何れかの発明において、前記制御手段が制御する浴室関連機器の制御パラメータを修正設定する操作手段を備えるとともに、該操作手段で制御パラメータが修正変更された浴室関連機器と連携制御される浴室関連機器の制御パラメータを修正する機能をシーン設定手段に備えていることを特徴とする。
【００２２】
請求項８の発明によれば、利用者の嗜好、体調等の事情を加味した入浴シーンの設定が可能となり、利用者にとって最適な入浴が可能となる。
【発明の効果】
【００２３】
本発明は、利用者が意図する入浴スタイルの入浴シーンに応じた浴室関連機器の制御を、煩雑な個別操作無しで行えるという効果がある。
【発明を実施するための最良の形態】
【００２４】
以下本発明を一実施形態により説明する。
【００２５】
図２は本実施形態の浴室機器システムの構成を示すもので、図示するように本実施形態の浴室機器システムは、システムの中枢となる中央管理装置１と、この中央管理装置１により監視制御される被制御対象の浴室関連機器と、液晶表示器と一体となった主又は副操作制御パネル３Ａ又は３Ｂとから構成される。
【００２６】
本実施形態の浴室関連機器は、図３に示すように浴室Ｒ１の天井に設けられた主照明装置４１ａや洗い場の側壁面の天井付近に設けられた間接用照明装置４１ｂ、更にスポットライト４１ｃ等の照明装置、更にＴＶ放送や各種映像の表示のための液晶ディスプレイのような映像表示装置４３、スピーカＳＰ等の音響装置、更に給湯室Ｒ２内に設置されるコントローラ４４を介して制御される給湯機４５、気泡発生装置４６、浴室Ｒ１の換気と暖房、更に乾燥装置を兼ねた温風換気装置４２、更にシャワー装置９等があり、図２に示すように照明装置４１（４１ａ、４１ｂ、４１ｃ）、温風換気装置４２、コントローラ４４は機器接続インターフェース部５を通じて中央管理装置１に接続される。
【００２７】
中央管理装置１は、浴室Ｒ１の天井裏等に配置される集中ボックスＢ内に収納されるもので、図１に示すように上述のスピーカＳＰに対して音声信号の出力を行うための音声インターフェース部１０と、ＢＧＭ用の音源１５と、メッセージ用の音声合成部１６と、映像表示装置４３で映像表示を行うための映像インターフェース部１１と、映像源１７と、更に各操作制御パネル３Ａ、３Ｂや機器操作コントローラ３Ｃとの間で操作情報と表示情報の入出力を行うための操作・表示情報入出力インターフェース部１２と、中央管理装置１全体の信号処理及び演算処理を担う演算処理部１３と、記憶部１４とを備えている。
【００２８】
記憶部１４は複数の入浴スタイルに夫々対応させた入浴シーンの進行プログラムを記憶するためのもので、演算処理部１３により読み出されたり、内容が変更されるようになっている。
【００２９】
演算処理部１３は、主又は副操作制御パネル３Ａ又は３Ｂの操作で選択された入浴スタイルの入浴シーンに対応した進行プログラムを記憶部１４から読み出して後述する制御手段１３ａに渡して、シーンの進行に対応付けてある浴室関連機器を制御させることでシーンを設定するシーン設定手段１３ｂと、上述の制御手段１３ａとを機能として備えている。
【００３０】
各操作制御パネル３Ａ、３Ｂでは、入浴スタイルの選択、更に各入力スタイルのシーンにおいて制御される浴室関連機器の変更設定、更に制御パラメートの設定等の操作メニューが液晶表示器で表示されるおうになっており、利用者はこの操作メニューに沿ってタッチパネルからなる操作釦を操作することで、入浴スタイルの選択、更に変更設定が行えるようになっている。そして操作情報は操作表示信号入出力インターフェース部１２を通じて演算処理部１３へ、また液晶表示器で表示される操作メニューの表示情報は演算処理部１３から操作表示信号入出力インターフェース部１２を通じて与えられるようになっている。
【００３１】
次に浴室Ｒ１内の設備を図３により簡単に説明する。まず浴室Ｒ１に設置されるバスタブ６には給湯機４５や水道からの給水・給湯カラン７が設けられるとともに、気泡発生装置４６からの気泡を吹き出す気泡噴出口（図示せず）が設けられ、更に半身浴のための椅子部６ａが設けられている。また洗い場には椅子８に座ってシャワー浴を行うためのシャワー装置９が設けられ、給湯機４５と水道とから湯水が供給されるようになっている。更に洗い場の側壁面の上端位置にはＬＥＤを光源として側壁面を照らす間接用照明装置４１ｂが設けられている。更に浴室Ｒ１の奥の壁面には映像表示装置４３が埋め込まれ、また窓Ｗ下の壁面には機器操作制御パネル３Ｃと主操作制御パネル３とを一体化したコントロールパネル３が埋設されている。この主操作制御パネル３Ａや機器操作制御パネル３Ｃは映像表示装置４３の表示画面上にタッチパネルとして設けても良い。また更に天井部には上述したスピーカＳＰや、主照明装置４１ａ、温風換気装置４２、スポットライト４１ｃ等が設けられている。
【００３２】
ここで本実施形態のシステムで採用する入浴スタイルは、例えば癒しのための入浴スタイル（以下癒し浴という）、美容のための入浴スタイル（美容浴という）、更に刺激が少なく軽負担の入浴スタイル（軽負荷浴という）、更に覚醒効果の高い入浴スタイル（以下目覚め浴）の４種類であって、各入浴スタイルに対応した入浴シーンを想定し、入浴シーンに対応して浴室関連機器を制御する進行プログラムを記憶部１４に予め登録しており、利用者が所望する入浴スタイルに対応した入浴シーンを主又は副操作制御パネル３Ａ又は３Ｂから選択されるとシーン設定手段１３ｂの働きにより入浴シーンに対応したプログラムが制御手段１３ａに送られ、制御手段１３ａが進行プログラムを実行することで浴室関連機器が動作し、入浴シーンが設定されるようになっている。
【００３３】
ここで前記進行プログラムは、入浴シーンの開始から終了までの期間を時系列的に分割し、その分割した期間毎に対応する一又は複数する浴室関連機器と夫々の制御パラメータとを登録しているシーケンスプログラムからなり、入浴シーンの選択があると、シーン設定手段１３ｂの働きにより記憶部４から読み出されて制御手段１３ａに渡されるようになっている。
【００３４】
次に本実施形態の動作を図４に示すフローチャートに基づいて説明する。尚記憶部１４に各入浴スタイルに対応した進行プログラムが予め登録され、システムが待機中にあるものとする。
【００３５】
而して入浴しようとする利用者は、浴室Ｒ１に入る前に、脱衣所Ｒ３側の浴室外壁に設置してある副操作制御パネルに設けてある選択用操作釦を操作して、所望する入浴スタイルを選択する（ステップＳ１）。この選択操作は中央管理装置１の操作・表示信号入出力部１２を介して演算処理部１３に取り込まれ、演算処理部１３内のシーン設定手段１３ｂが選択された入浴スタイルのチェックを行う（ステップＳ２１〜Ｓ２３）。このチェックで選択された入浴スタイルがわかると、シーン設定手段１３ｂは当該入浴スタイルの進行プログラムを記憶部１４から読み出し、制御手段１３ａへ渡す（ステップＳ３１〜Ｓ３４）。制御手段１３ａは進行プログラムを受け取ると、まず選択された入浴スタイルがバスタブ６による入浴するスタイルかシャワー浴のみかを判断する。ここでの判断がバスタブ６を用いた入浴の場合には機器接続インターフェース部５を介してコントローラ４４に給湯機４５を動作させ、バスタブ６に所定の湯温となるように給湯を開始するように制御信号を送出する。尚この給湯はバスタブ６の液位が適正となると自動的に停止させるようにコントローラ４４で制御されるもので、一般的な風呂コントローラが利用される。またシャワー浴の場合には事前の湯張りは行わない。
【００３６】
そして制御手段１３ａは給湯の制御信号を出力後、機器操作コントローラ３Ｃからの操作信号の入力に待機する（ステップＳ４）。そして機器操作信号を受け取ると、プログラムを実行して予め当該入力スタイルの入浴シーンに対応させてある浴室関連機器のシーケンス制御を開始する（ステップＳ５）。そして入浴シーンが終了する（ステップＳ７）と、システムは待機状態に戻ることになる。
【００３７】
ここで各入浴スタイルについての入浴シーンの流れを説明する。
【００３８】
まず癒し浴の場合には、利用者は浴室Ｒ１への入室前に副操作制御パネル３Ｂで癒し浴を選択した後、浴室Ｒ１に入室してまずシャワー装置９を用いて身体を洗う（この場合制御手段１３ａにより給湯機４５の湯と水道との混合湯水が適温となるようにシャワー装置９の湯温調整部が制御される）。
【００３９】
次に利用者は既に湯が張られているバスタブ６につかり、コントローラパネル３から気泡発生装置４６を起動させる操作を行うと、制御手段１３ａは操作信号を受けて入浴シーンの進行を開始して、まず気泡発生装置４６に対して微細気泡を発生させるようにコントローラ４４に制御信号を送る。これにより利用者は微細気泡浴ができることになる。また夜間で主照明装置４１ａが点灯している場合には消灯させ、眩しさを抑えるために間接用照明装置４１ｂを点灯させる制御信号を制御手段１３ａは各々に機器接続インターフェース部５を介して送出する。そして更に音源１５から音楽データを取り込み、音声インターフェース部１０を介してＤ／Ａ変換した音響信号をスピーカＳＰへ送り、ＢＧＭとして浴室内に音楽を流す。これにより利用者はゆったりとした気分で入浴が楽しめることになる。そして適切な入浴時間が経過すると、制御手段１３ａは音声合成部１６を制御して入浴シーン終了を知らせるメッセージの音声信号を得て、該音声信号を音声インターフェース部１０からスピーカＳＰを通じて報知させる。そして利用者がこの報知を聞いて入浴を止め浴室Ｒ１から脱衣所Ｒ２へ出るのに要する時間を見越した所定時間が経過すると、制御手段１３ａはＢＧＭの停止、微細気泡浴の停止のための制御処理を行うとともに、間接用照明装置４１ｂを消灯させるとともに主照明装置４１ａを点灯させて入浴シーンを終了する。尚映像表示装置４３で映像を見たい場合には入浴中に利用者がリモコン（図示せず）を用いて操作することで映像表示装置４３に組み込まれたＴＶ放送受信機能による放送映像や中央管理装置１に接続された映像源１７からの映像を楽しむことができるのは勿論である。
【００４０】
尚癒し浴の場合、利用者がバスタブ６での微細気泡浴の代わりにシャワー装置９を用いたシャワー浴を希望する場合には副操作制御パネル３Ｂで予め微細気泡浴に代えてシャワー浴に変更することができる。
【００４１】
美容浴の場合も、利用者は浴室Ｒ１への入室前に副操作制御パネル３Ｂで美容浴を選択し、次に浴室Ｒ１へ入室する。美容浴の場合には半身浴であるので、選択と同時にバスタブ６への給湯が行われる。入室した利用者はバスタブ６内の半身浴用の椅子部６ａに座って下半身を湯につけ、癒し浴と同様にコントローラパネル３から気泡発生装置４６を起動させる操作を行うと、制御手段１３ａはこの操作信号を受けて入浴シーンの進行を開始し、まず気泡発生装置４６に対して微細気泡を発生させるようにコントローラ４４に制御信号を送る。これにより利用者は微細気泡浴ができることになる。また夜間で主照明装置４１ａが点灯しているときには、主照明装置４１ａを消灯させる制御信号とスポットライト４１ｃ及び間接用照明装置４１ｂに制御機器インターフェース部５を通じて制御信号を送る。この制御信号を受けた間接用照明装置４１ｂ及びスポットライト４１ｃは夫々点灯する。スポットライト４１ｃは椅子部６ａ付近を照らすことで、半身浴を楽しみながら利用者が読書するための明かりを提供する。勿論利用者が読書しない場合にはコントローラパネル３でスポットライト４１ｃを消灯させることもできる。また同時に制御手段１３ａは癒し浴と同様に音源１６を用いてスピーカＳＰからＢＧＭを流す制御も行う。
【００４２】
そして適切な入浴時間が経過すると、制御手段１３ａは音声合成部１５を制御して入浴シーン終了を知らせるメッセージの音声信号を得て、該音声信号を音声インターフェース部１０からスピーカＳＰを通じて報知させる。そして利用者がこの報知を聞いて入浴を止め浴室Ｒ１から脱衣所Ｒ２へ出るのに要する時間を見越した所定時間が経過すると、制御手段１３ａはＢＧＭの停止、微細気泡浴の停止のための制御処理を行うとともに、間接用照明装置４１ｂ及びスポットライト４１ｃを消灯させ、主照明装置４１ａを点灯させて入浴シーンを終了する。
【００４３】
目覚め浴の場合も、利用者は浴室Ｒ１への入室前に副操作制御パネル３Ｂで目覚め浴を選択し、次に浴室Ｒ１へ入室する。この目覚め浴の場合にはシャワー浴のみとなるため、制御手段１３ａはバスタブ６への給湯制御は行わないが、シャワーのみであるので、浴室Ｒ１に利用者が入室したときに寒く感じさせないために、温風換気装置４２を動作させて浴室Ｒ１を暖房する。
【００４４】
そして浴室Ｒ１へ入室した利用者は、まずコントローラパネル３からシャワー装置９を起動させる操作を行う。この操作が行われると、制御手段１３ａは覚醒効果が得られる要に主照明装置４１ａを灯させて利用者に明るい光を照射する。そしてシャワー装置９のカランが開かれると覚醒効果の高い、マッサージシャワーとなるようにシャワー装置９の噴出状態を制御する。更に音源１６を用いてスピーカＳＰから覚醒効果の高い音楽を流す制御も行う。このようにして利用者に対して覚醒効果の高い入浴シーンを提供するのである。
【００４５】
そして適切な入浴時間が経過すると、制御手段１３ａは音声合成部１５を制御して入浴シーン終了を知らせるメッセージの音声信号を得て、該音声信号を音声インターフェース部１０からスピーカＳＰを通じて報知させる。そして利用者がこの報知を聞いて入浴を止め浴室Ｒ１から脱衣所Ｒ２へ出るのに要する時間を見越した所定時間が経過すると、制御手段１３ａは音楽の停止、シャワー装置９の噴出状態の設定を通常の状態に戻す制御処理を行うとともに、主照明装置４１ａを消灯させ、更に温風換気装置４２を停止させて入浴シーンを終了する。
【００４６】
温風換気装置４２は夏等では不要であるため、利用者が入浴スタイルの選択時に温風換気装置４２を停止させるように変更することもできる。
【００４７】
次に軽負担浴の場合には、安全性などからみてシャワー浴が中心となるため、目覚め浴の場合と基本的には同じであるが、照明を間接用照明装置４１ｂにより行ったり、スピーカＳＰより流す音楽を癒し系の音楽とする以外はほぼ同じである。
【００４８】
本実施形態では、入浴スタイルを浴室Ｒ１に入る前に選択すると、バスタブ６への給湯など事前制御が行われ、その後利用者が浴室Ｒ１に入って機器操作を行うとこれをトリガとして入浴シーンに沿って浴室関連機器が自動的に制御されるため、利用者が煩雑な機器操作を行うことなく、選択した入浴スタイルを堪能することができる。
【００４９】
ところで、バスタブ６につかるシーンでは、バスタブ６の利用者がつかったときの水位の上昇を給湯機４５に備わった水位センサ４５ａを利用して検知し、利用者がバスタブ６内に位置すると演算処理部１３の制御手段１３ａで判断し、これにより気泡発生装置４６をシーンに合った気泡を発生させる制御を開始し、バスタブ６に水位が下がって利用者がバスタブ６から出たことを検知すると気泡発生装置４６を停止させる制御を行うようにようにすれば、シーン進行において気泡発生装置４６を無駄なく動作させることができる。
【００５０】
また美容浴でのスポットライト４１ｃの点灯／消灯もバスタブ６内の椅子部６ａに着座センサ６ｂを設け、このシーンの進行中において着座センサ６ｂで着座が検知されているときのみ半身浴が開始されたと判断してスポットライト４１ｃを点灯させる制御を行うようにすれば、無駄な点灯を無くすことができる。
【００５１】
シャワー装置９はカランを開くことで、シャワーが使われていると判断できるため、シャワー装置９に対する制御は水圧センサ９ａなどにより使用検知を行い、使用しているときにのみ制御を行うことで、非使用中での無駄な制御処理が必要なくなる。
【００５２】
つまりこれら、使用検知によって利用者が浴室Ｒ１内の存在位置を検知するすることで、シーン進行における対応機器の制御の開始と、終了のタイミングを自動的に設定することができる。
【００５３】
特に洗い場に利用者が存在していることをシャワー装置９や水栓の操作から検知することで、次のシーン進行準備としてバスタブ６内へ一定時間微細気泡を
発生させ、白濁化した状態で入浴ができるようにしたり、或いは映像表示装置４３を自動オンさせたりすることもできる。
【００５４】
更に入浴スタイルが選択されたとしても入浴する時刻によっては、照明が不要だったり、或いは浴室Ｒ１に流す音楽も時刻にふさわしいものに代える方が良い場合がある。
【００５５】
そこで制御手段１３ａは時間帯取得手段として内蔵時計を備え、入浴シーンが進行している時間帯を内蔵時計から判断し、例えば深夜時間帯で癒し浴の入浴シーンを進行させる場合には、ＢＧＭとしてクラシック音楽など心安らかな音楽を流す処理を行ったり、或いは朝の時間帯の場合には窓Ｗを通して朝日が入り込むため、間接用照明装置４１ｂの点灯も効果が薄いため消灯させ、また流すＢＧＭを音楽の代わりに小鳥のさえずりなどさわやかな森のイメージを演出する音声に代える等時簡帯に対応した制御パラメータを用いて浴室関連機器を制御するようにしても良い。
【００５６】
ところで入浴スタイルには例えば年齢層や生活習慣などによって個人個人の好みというものがあるため、記憶部１４に登録する各入浴スタイルについても利用者各人の事情を取り入れるようにデフォルトの進行プログラムを変更し、その人専用のシーンの進行プログラムとして記憶部１４に登録できるように主又は副操作制御パネル３Ａ又は３Ｂでの変更操作機能を備えても良い。
【００５７】
つまり、美容浴では母親が美容と若返りを目的とするのに対して娘は美容と健康維持というように目的が異なる。また読書よりも映像表示装置４３によってＤＶＤの映画を楽しみたいという希望もある。従って当該シーンでの制御対象の浴室関連機器であるスポットライト４１ｃを点灯させる代わりに映像表示装置４３のＤＶＤ再生というように制御内容の変更を行い、それを利用者別に登録する。また同様に軽負荷浴の場合には飲酒後の入浴や、老人の入浴というように利用者の体調、体力などを考慮しなければならないため、シーンの進行具合や、使用機器を変更して利用者別に登録する。
【００５８】
この場合には、入浴スタイルの選択時に例えば利用者ＩＤを入力して利用者ＩＤと選択された入浴スタイルから利用者別の進行プログラムがあればその進行プログラムによるシーン設定を行い、なければデフォルトの進行プログラムによるシーン設定を行うことで、利用者の事情に合ったシーンを設定することが可能となる。
【００５９】
ところで入浴スタイル毎に照明装置４１の明るさや気泡発生装置４６での気泡発生状態の強さ、湯温などを、利用者が入浴シーンが進行中において、コントローラパネル３の機器操作釦で切り換え選択できるようにしても良い。この場合例えば夫々の装置４１、４６の最大出力値を１００％とし、例えば夫々の入浴スタイルでの切り換えを強、中、弱の３段階とした場合、夫々の段階の出力値を上述の最大出力値に対する比率で表現し、この比率に応じて演算処理部１３のシーン設定手段１３ｂは切り換え選択された段階に応じて制御パラメータを変更する処理を行う。また同時に連携動作する浴室関連機器の制御パラメータも変更する処理を行う。これにより利用者は選択した入浴モードにおいても利用者が好む状態の入浴シーンを設定することができる。例えば癒し浴中に気泡発生状態の強さを（強）とし、途中で（中）や（弱）に切り換え変更することで、給湯機４５の給湯する湯温をぬる湯の温度とするように制御して、湯温の低減を図るようなシーンを設定することが可能となる。
【００６０】
尚本実施形態の間接用照明装置４１ｂとしては図５に示すように洗い場の側壁面を照らすように側壁３０の横幅方向とほぼ同じ長さの装置本体２０を側壁の上端近くに配置し、装置本体２０の下面に設けたスリット２１から内部に配設しているＬＥＤ２２の光を側壁面に照射して間接照明とするものであり、ＬＥＤ２２の光色を入浴スタイルやシーンの進行具合によって変化させるようにしても良い。
【００６１】
また図６に示すように側壁の室内側表面を光透光性のアクリル板のような導光板３１で覆い、導光板３１の上端部に配置したＬＥＤ２２の光を上端面から導光板３１内に入射させて下方へ導光させ、導光板３１の表面から出射させることで間接用照明装置４１ｂとしても良い。この場合導光板３１の裏面側に形成した凹凸反射面３１ａで表面側へ光反射させるため効率が良い。また表面を粗面とすることで拡散効果を得るようすれば、導光板３１の表面全体をむらなく光らせることができる。
【図面の簡単な説明】
【００６２】
【図１】一実施形態に用いる中央管理装置を含む要部の構成図である。
【図２】一実施形態のシステム構成図である。
【図３】一実施形態を用いる浴室の概略構成図である。
【図４】一実施形態の動作説明用フローチャートである。
【図５】一実施形態に用いる間接用照明装置の一例の一部破断せる要部の斜視図である。
【図６】一実施形態に用いる間接用照明装置の他例の斜視図である。
【符号の説明】
【００６３】
１    中央管理装置
１０  音声インターフェース部
１１  映像インターフェース部
１２  操作・表示信号入出力部
１３  演算処理部
１３ａ  制御手段
１３ｂ  シーン設定手段
１４  記憶部
１５  音源
１６  音声合成部
１７  映像源
３A  主操作制御パネル
３Ｂ  副操作制御パネル
３Ｃ  機器操作コントローラ
４３  映像表示装置
５  機器接続インターフェース部
【図１】
2006322638.tif 000003
【図２】
2006322638.tif 000004
【図３】
2006322638.tif 000005
【図４】
2006322638.tif 000006
【図５】
2006322638.tif 000007
【図６】
2006322638.tif 000008